【手続補正書】
【提出日】平成20年3月7日(2008.3.7)
【手続補正１】
【補正対象書類名】明細書
【補正対象項目名】特許請求の範囲
【補正方法】変更
【補正の内容】
【特許請求の範囲】
【請求項１】  時間積分効果を有する所定数の画素を有する撮像素子によって取得された所定数の画素データからなる画像データを処理する画像処理装置において、
時間積分効果により前記画像データに形成された、前景オブジェクトを構成する前景オブジェクト成分からなる前景領域、および背景オブジェクトを構成する背景オブジェクト成分からなる背景領域により構成される非混合領域、並びに前記前景オブジェクト成分および前記背景オブジェクト成分が混合されてなる混合領域を特定する領域情報、並びに前記画像データに基づいて、前記前景領域における前記画素データであって、隣接する前記画素データとその値がほぼ等しい前記画素データからなる均等部を検出する均等部検出手段と、
検出された前記均等部に基づいて、前記前景領域に生じている動きボケを除去する動きボケ除去手段と
を含むことを特徴とする画像処理装置。
【請求項２】  前記均等部の位置に基づいて、複数の前記前景オブジェクト成分からなる処理単位を決定する処理単位決定手段をさらに含み、
前記動きボケ除去手段は、前記処理単位毎に前記前景領域の動きボケを除去する
ことを特徴とする請求項１に記載の画像処理装置。
【請求項３】  前記処理単位決定手段は、前記均等部の前記画素データ以外の画素データであって、１つの直線上の、前記混合領域または前景領域に属する前記画素データに対応する処理単位を決定する
ことを特徴とする請求項２に記載の画像処理装置。
【請求項４】  前記前景領域、前記背景領域、または前記混合領域を特定する領域特定手段をさらに含む
ことを特徴とする請求項１に記載の画像処理装置。
【請求項５】  前記均等部検出手段は、前記画素データの差分としきい値とを比較することにより、前記均等部を検出する
ことを特徴とする請求項１に記載の画像処理装置。
【請求項６】  前記均等部検出手段は、前記前景オブジェクトの動き量に対応する画素の数以上の数の隣接する前記画素データからなる均等部を検出する
ことを特徴とする請求項１に記載の画像処理装置。
【請求項７】  前記動きボケ除去手段は、動きベクトルに対応した演算を適用することにより、記前景領域に生じている動きボケを除去する
ことを特徴とする請求項１に記載の画像処理装置。
【請求項８】  前記動きボケ除去手段は、
前記処理単位および動きベクトルに対応するモデルを取得するモデル取得手段と、
取得した前記モデルに基づいて、前記処理単位の前記画素データと、前記処理単位に含まれる前景オブジェクト成分との関係に対応する方程式を生成する方程式生成手段と、
生成された前記方程式に基づいて、前記処理単位に含まれる前景オブジェクト成分を演算する演算手段と
を含むことを特徴とする請求項１に記載の画像処理装置。
【請求項９】  時間積分効果を有する所定数の画素を有する撮像素子によって取得された所定数の画素データからなる画像データを処理する画像処理方法において、
時間積分効果により前記画像データに形成された、前景オブジェクトを構成する前景オブジェクト成分からなる前景領域、および背景オブジェクトを構成する背景オブジェクト成分からなる背景領域により構成される非混合領域、並びに前記前景オブジェクト成分および前記背景オブジェクト成分が混合されてなる混合領域を特定する領域情報、並びに前記画像データに基づいて、前記前景領域における前記画素データであって、隣接する前記画素データとその値がほぼ等しい前記画素データからなる均等部を検出する均等部検出ステップと、
検出された前記均等部に基づいて、前記前景領域に生じている動きボケを除去する動きボケ除去ステップと
を含むことを特徴とする画像処理方法。
【請求項１０】  時間積分効果を有する所定数の画素を有する撮像素子によって取得された所定数の画素データからなる画像データを処理するコンピュータに、
時間積分効果により前記画像データに形成された、前景オブジェクトを構成する前景オブジェクト成分からなる前景領域、および背景オブジェクトを構成する背景オブジェクト成分からなる背景領域により構成される非混合領域、並びに前記前景オブジェクト成分および前記背景オブジェクト成分が混合されてなる混合領域を特定する領域情報、並びに前記画像データに基づいて、前記前景領域における前記画素データであって、隣接する前記画素データとその値がほぼ等しい前記画素データからなる均等部を検出する均等部検出ステップと、
検出された前記均等部に基づいて、前記前景領域に生じている動きボケを除去する動きボケ除去ステップと
を実行させるプログラム。
【手続補正２】
【補正対象書類名】明細書
【補正対象項目名】００１６
【補正方法】削除
【補正の内容】
【手続補正３】
【補正対象書類名】明細書
【補正対象項目名】００１７
【補正方法】削除
【補正の内容】
【手続補正４】
【補正対象書類名】明細書
【補正対象項目名】００１８
【補正方法】削除
【補正の内容】
【手続補正５】
【補正対象書類名】明細書
【補正対象項目名】００１９
【補正方法】削除
【補正の内容】
【手続補正６】
【補正対象書類名】明細書
【補正対象項目名】００２０
【補正方法】削除
【補正の内容】
【手続補正７】
【補正対象書類名】明細書
【補正対象項目名】００２１
【補正方法】削除
【補正の内容】
【手続補正８】
【補正対象書類名】明細書
【補正対象項目名】００２２
【補正方法】削除
【補正の内容】
【手続補正９】
【補正対象書類名】明細書
【補正対象項目名】００２３
【補正方法】変更
【補正の内容】
【００２３】
請求項１０に記載のプログラムは、時間積分効果により画像データに形成された、前景オブジェクトを構成する前景オブジェクト成分からなる前景領域、および背景オブジェクトを構成する背景オブジェクト成分からなる背景領域により構成される非混合領域、並びに前景オブジェクト成分および背景オブジェクト成分が混合されてなる混合領域を特定する領域情報、並びに画像データに基づいて、前景領域における画素データであって、隣接する画素データとその値がほぼ等しい画素データからなる均等部を検出する均等部検出ステップと、検出された均等部に基づいて、前景領域に生じている動きボケを除去する動きボケ除去ステップとを含むことを特徴とする。
【手続補正１０】
【補正対象書類名】明細書
【補正対象項目名】００２４
【補正方法】削除
【補正の内容】
【手続補正１１】
【補正対象書類名】明細書
【補正対象項目名】００２５
【補正方法】削除
【補正の内容】
【手続補正１２】
【補正対象書類名】明細書
【補正対象項目名】００２６
【補正方法】削除
【補正の内容】
【手続補正１３】
【補正対象書類名】明細書
【補正対象項目名】００２７
【補正方法】削除
【補正の内容】
【手続補正１４】
【補正対象書類名】明細書
【補正対象項目名】００２８
【補正方法】削除
【補正の内容】
【手続補正１５】
【補正対象書類名】明細書
【補正対象項目名】００２９
【補正方法】削除
【補正の内容】
【手続補正１６】
【補正対象書類名】明細書
【補正対象項目名】００３０
【補正方法】削除
【補正の内容】
【手続補正１７】
【補正対象書類名】明細書
【補正対象項目名】００３１
【補正方法】変更
【補正の内容】
【００３１】
請求項１に記載の画像処理装置、請求項９に記載の画像処理方法、および請求項１０に記載のプログラムにおいては、時間積分効果により画像データに形成された、前景オブジェクトを構成する前景オブジェクト成分からなる前景領域、および背景オブジェクトを構成する背景オブジェクト成分からなる背景領域により構成される非混合領域、並びに前景オブジェクト成分および背景オブジェクト成分が混合されてなる混合領域を特定する領域情報、並びに画像データに基づいて、前景領域における画素データであって、隣接する画素データとその値がほぼ等しい画素データからなる均等部が検出され、検出された均等部に基づいて、前景領域に生じている動きボケが除去される。
【手続補正１８】
【補正対象書類名】明細書
【補正対象項目名】０７５４
【補正方法】変更
【補正の内容】
【０７５４】
【発明の効果】
請求項１に記載の画像処理装置、請求項９に記載の画像処理方法、および請求項１０に記載のプログラムによれば、時間積分効果により画像データに形成された、前景オブジェクトを構成する前景オブジェクト成分からなる前景領域、および背景オブジェクトを構成する背景オブジェクト成分からなる背景領域により構成される非混合領域、並びに前景オブジェクト成分および背景オブジェクト成分が混合されてなる混合領域を特定する領域情報、並びに画像データに基づいて、前景領域における画素データであって、隣接する画素データとその値がほぼ等しい画素データからなる均等部が検出され、検出された均等部に基づいて、前景領域に生じている動きボケが除去されるようにしたので、ボケた画像データに含まれる動きボケを除去することができるようになる。